(57)【要約】      （修正有）【課題】陰部の皮膚病と蒸れを防ぐため、独自の構造を持つ下着を提供する。【解決手段】陰部の皮膚病の予防と改善のため、陰茎、陰嚢など、陰部相互間の皮膚の接触を防止すると共に、陰部の風通しを良くして陰部の蒸れを防ぐため、パンツの形状をスカート状にした。なお、陰茎と陰嚢を隔離する方式としては、陰茎の個人差に適応性があり、陰茎が快適に保持できる調整可能なスリット型とした。また、個人の陰茎位置の違いにも対応を可能にした。更に、皮膚ずれなどを防ぐため、サポーターの長さを調整し、サポーターが適正な張力で陰部を包める構造とした。【選択図】図１
0003174954.tif 000002
【実用新案登録請求の範囲】
【請求項１】
陰部の皮膚病（インキンタムシ＝陰股部白癬など）の予防と改善のため、陰嚢と内股の皮膚どうしの接触防止はもちろんのこと、陰茎と陰嚢が直接接触するのを防ぎ、かつ、陰部の蒸れが防止できるように考案したサポーター｛褌（ふんどし）タイプ｝とパンツ一体型の下着。
【請求項２】
サポーターに、陰茎を外に出すために設けたスリット（切れ目）及びその構造。
スリット型は、円形よりも陰茎の大小に対する適応性が優れている。個人の陰茎には大小があり、陰茎の接触部は伸縮性の生地を使うが、円形は大に合わすと小はゆるくなり、小に合わすと大はきつくなる。これに対しスリットは閉じているのを開くから、大小に対する当たりの変化が少なく、小の場合でも一定の接触力が保てる。しかも、スリット型は、スリットの開口度（長さ）を変えて陰茎の大小に対する調整が可能で、また、個人の陰茎位置の違いにも対応できる（詳細後述）
【考案の詳細な説明】
【技術分野】
【０００１】  陰部の皮膚病と蒸れを防ぐため、独自の構造を持つ下着に関する考案。
【背景技術】
【０００２】  陰嚢は、皮膚が薄く、皮下脂肪が少ない。その上、多数の汗腺を持っているので、常に内股や陰茎と接触している陰嚢は、皮膚病にかかりやすい。また、陰部の風通しが悪いと陰部が蒸れて、皮膚病を助長し、股ずれも起こす。このため、陰部の皮膚病患者には皮膚病を防ぐ下着の開発が望まれている。
【考案の概要】
【考案が解決しようとする課題】
【０００３】  陰部の皮膚病を防ぐ下着としては、
▲１▼  陰嚢、陰茎、内股など相互の皮膚どうしの接触が防止できるもの。
▲２▼  陰部周辺の風通しが良いもの。
▲３▼  個人の体格に合わせ、下着が適正に調整でき、使用しても布ずれなどの不快な現象を起こさず、快適に使用できるもの。
【問題を解決するための手段】
【０００４】  このサポーターパンツは、パンツの内側に網目などの生地を使ったサポーターを取り付けたものである（図１参照）
▲１▼  陰嚢は、サポーター（褌タイプで陰嚢を包む部分は立体型）で包み、常に接触している陰茎と陰嚢を離すため、サポーターに設けたスリットから、陰茎をサポーターの外に出し、陰茎と陰嚢を隔離する。
なお、このサポーターは、褌タイプのため、股間にも布地を挟み、股間の皮膚病の予防と改善に役立つ。
▲２▼  陰部の風通しをよくするため、パンツはスカート式で陰部の下部は開放されている。なお、パンツのめくれ防止のため、股間に仕切りの布を取り付ける。
▲３▼  サポーターの長さと、陰茎を外へ出すために設けたサポーターのスリットの開口度は、共に、必要に応じて、それぞれ調整できるものとする。
【０００５】  サポーターの長さは、サポーター後部でパンツと繋いでいる止め具（スナップなど）の合わせ位置で調整する。（図２参照）
陰茎の大小に対しては、個人、個人の大きさに合わすため、スリットの上部に取り付けたヒモの長さを変え、スリットの開口度を調整しておこなう。（図２参照）
【０００６】  このサポーターは、単独でも製作できる。
【考案の効果】
【０００７】  試作品を使用した結果、陰部の皮膚病が改善された。
【図１】
0003174954.tif 000003
【図２】
0003174954.tif 000004
【手続補正書】
【提出日】平成23年8月10日(2011.8.10)
【手続補正１】
【補正対象書類名】実用新案登録請求の範囲
【補正対象項目名】全文
【補正方法】変更
【補正の内容】
【実用新案登録請求の範囲】
【請求項１】
陰部の皮膚病（インキンタムシ＝陰股部白癬など）の予防と改善のため、陰嚢と内股の皮膚どうしの接触防止はもちろんのこと、陰茎と陰嚢が直接接触するのを防ぎ、かつ、陰部の蒸れが防止できるように考案したサポーター｛褌（ふんどし）タイプ｝とパンツ一体型の下着。
【請求項２】
陰茎と陰嚢の接触を防ぐため、陰茎をサポーターから外に出すために設けたスリット（切れ目）及びその構造。
スリット型は、円形よりも陰茎の大小に対する適応性が優れている。個人の陰茎には大小があり、陰茎の接触部は伸縮性の生地を使うが、円形は大に合わすと小はゆるくなり、小に合わすと大はきつくなる。これに対しスリットは閉じているのを開くから、大小に対する当たりの変化が少なく、小の場合でも一定の接触力が保てる。しかも、スリット型は、スリットの開口度（長さ）を変えて陰茎の大小に対する調整が可能で、また、個人の陰茎位置の違いにも対応できる（詳細後述）
【手続補正２】
【補正対象書類名】明細書
【補正対象項目名】全文
【補正方法】変更
【補正の内容】
【考案の詳細な説明】
【技術分野】
【０００１】  陰部の皮膚病と蒸れを防ぐため、独自の構造を持つ下着に関する考案。
【背景技術】
【０００２】  陰嚢は、皮膚が薄く、皮下脂肪が少ない。その上、多数の汗腺を持っているので、常に内股や陰茎と接触している陰嚢は、皮膚病にかかりやすい。また、陰部の風通しが悪いと陰部が蒸れて、皮膚病を助長し、股ずれも起こす。このため、陰部の皮膚病患者には皮膚病を防ぐ下着の開発が望まれている。
【考案の概要】
【考案が解決しようとする課題】
【０００３】  陰部の皮膚病を防ぐ下着としては、
▲１▼  陰嚢、陰茎、内股など相互の皮膚どうしの接触が防止できるもの。
▲２▼  陰部周辺の風通しが良いもの。
▲３▼  個人の体格に合わせ、下着が適正に調整でき、使用しても布ずれなどの不快な現象を起こさず、快適に使用できるもの。
【問題を解決するための手段】
【０００４】  このサポーターパンツは、パンツの内側に網目などの生地を使ったサポーターを取り付けたものである（図１参照）
▲１▼  陰嚢は、サポーター（褌タイプで陰嚢を包む部分は立体型）で包み、常に接触している陰茎と陰嚢を離すため、サポーターに設けたスリットから、陰茎をサポーターの外に出し、陰茎と陰嚢を隔離する。
なお、このサポーターは、褌タイプのため、股間にも布地を挟み、股間の皮膚病の予防と改善に役立つ。
▲２▼  陰部の風通しをよくするため、パンツはスカート式で陰部の下部は開放されている。このため、姿勢によっては陰茎が露出するので、サポーターとパンツの間に「陰茎ポケット」を作り、これお防止する（図３参照）。なお、パンツのめくれ防止のため、股間に仕切りの布を取り付ける。
▲３▼  サポーターの長さと、陰茎を外へ出すために設けたサポーターのスリットの開口度は、共に、必要に応じて、それぞれ調整できるものとする。
【０００５】  サポーターの長さは、サポーター後部でパンツと繋いでいる止め具（スナップなど）の合わせ位置で調整する。（図２参照）
陰茎の大小に対しては、個人、個人の大きさに合わすため、スリットの上部に取り付けたヒモの長さを変え、スリットの開口度を調整しておこなう。（図２参照）
【０００６】  このサポーターは、単独でも製作できる。
【考案の効果】
【０００７】  試作品を使用した結果、陰部の皮膚病が改善された。
【手続補正４】
【補正対象書類名】図面
【補正対象項目名】図３
【補正方法】追加
【補正の内容】
【図３】
0003174954.tif 000005
【手続補正書】
【提出日】平成23年10月25日(2011.10.25)
【手続補正１】
【補正対象書類名】実用新案登録請求の範囲
【補正対象項目名】全文
【補正方法】変更
【補正の内容】
【実用新案登録請求の範囲】
【請求項１】
陰部の皮膚病の予防と改善のため、陰嚢と内股及び陰茎と陰嚢更に股間の皮膚の接触を防ぐ目的で、サポーターとパンツを組み合わせた下着を製作し、陰嚢と内股及び股間の接触は褌状のサポーターで防止し、陰茎はサポーターに開けた独自のスリットの長さを、個人の陰茎の大小に合わせて調整して陰茎を適正な力で保持できるようにし、陰茎はそのスリットを開けてサポーターの外側へ出し陰嚢との接触を防止させ、パンツは陰部の蒸れを防ぐため裾を開放した特徴を持つサポーターとパンツ一体の下着の考案。
【請求項２】
サポーターパンツ一体の下着からパンツ部分を取り除いたサポーター単体の下着の考案。
【手続補正２】
【補正対象書類名】明細書
【補正対象項目名】全文
【補正方法】変更
【補正の内容】
【考案の詳細な説明】
【技術分野】
【０００１】  陰部の皮膚病と蒸れを防ぐために独自の構造を持つ男性下着に関する考案。
【背景技術】
【０００２】  陰嚢は皮膚が薄く皮下脂肪が少ない。その上多数の汗腺を持っているので常に内股や陰茎と接触している陰嚢は皮膚病にかかりやすく、また陰部の風通しが悪いと陰部が蒸れて皮膚病を助長し股ずれも起こす。このため陰部の皮膚病患者にはこれを防ぐ下着の開発が望まれている。
【考案の概要】
【考案が解決しようとする課題】
【０００３】  陰部の皮膚病を防ぐには陰部の皮膚間の接触を防止することが必要で、陰嚢と内股の接触は立体構造の布を使って陰嚢を包むことで防止でき、陰茎と陰嚢の接触は下着に穴をあけ陰茎を外側に出すことで防止でき、股間の接触は褌のように股間に布を挟むことで防止できるが、この三つの課題を同時に解決した構造の下着は見当たらない。また下着に穴をあけ陰茎を外側に出して陰嚢との接触を防ぐ方法は、穴の場合陰茎の大小に対応できていないので姿勢によっては陰茎が抜ける恐れがあり、陰茎の大きさに合わせて調整でき適正な力で陰茎を保持して陰茎の抜けを防止し完全に隔離する必要がある。
【問題を解決するための手段】
【０００４】  図−１は褌状のサポーターとパンツを組み合わせたサポーターパンツ一体の下着の概略図で、サポーターと陰嚢の接する部分は立体構造にして陰嚢を包み、サポーターの陰茎の当たる部分には長さを調整して陰茎の大小に適応できる図−２のような独自のスリットを設けこのスリットを開いて陰茎を外側に出し、股間の接する部分はサポーターの下部の布を股間で挟むことでそれぞれの皮膚間の接触を防止して三つの課題を一つの下着で解決できる構造にし、更に陰茎ポケットを図−１のようにサポーターとパンツの間に作り陰茎をこの中に常時収容して陰茎がパンツから露出するのを防ぐ。
【０００５】  陰茎ポケットは市販の下着の前あき部の構造を利用して作ってあり、図−１の陰茎ポケットの図面で黒く塗りつぶしたａ，ｂ，ｃ，ｄの四角の形をした部分は陰茎の出し入れのため布が二重になっていて、パンツの表の布は開口部Ａを除き裏の布は開口部Ｂのあるｂ，ｃの辺を除いて、四角の周辺をサポーターと一緒に縫い付けてあり、この四角の布とサポーターの空間が陰茎ポケットで、スリットから出した陰茎を収容して、パンツから陰茎の露出を防ぐ構造。小用を足すときは開口部Ａから手を入れ更に裏側の布の開口部Ｂから指を奥に差し込んで陰茎を取り出す仕組み。
【０００６】  図−２はスリット詳細図で、スリットは伸縮性を強くするため周辺の生地を厚く織り、その構造は図のようにスリット長さを調整するため、糸をスリットの長さ方向で一定のピッチで数箇所止めておき、陰茎が大きすぎてスリットに入らない場合は糸を内側から順次切り取ってスリットを長くして、陰茎の大きさに合わせて調整し陰茎が適正な力で保持できるようにして陰茎が完全に隔離できる構造。
【０００７】    陰部の風通しを良くするためサポーターパンツ一体の下着は図−１のように裾が開放されていて捲れ防止のため２本の布で前後を繋ぐ構造。
【０００８】  サポーター単体の下着は基本的にはのサポーターパンツ一体の下着と同じ構造で、図−３のようにサポーターと腰に装着するバンド及び陰茎ポケットで構成し、サポーターパンツ一体の下着からパンツ部分を取り除いた構造。
【考案の効果】
【０００９】  試作品を使用した結果、初期の目的通りの効果があり皮膚病が改善された。陰茎は色んな体操をして色んな体の動かし方をしてもスリットで完全に保持され抜けることは無く、陰部の皮膚間の接触防止と合わせて風通しを良くする裾開放パンツの効果もあり夏場でも陰部と股間の皮膚病が改善され薬を使う必要が全くなくなり、勃起不全にも効果がある。
【図面の簡単な説明】
【００１０】
【図１】本考案に係るサポーターパンツ一体の下着の概略図でサボーターとパンツの組み合わせ方、スリットの位置及び陰茎ポケットの構造と位置、パンツの裾開放の構造を図示している。
【図２】本考案に係るスリットの詳細図でスリットはサポーターの陰茎が当たる位置に開けてあり、陰茎を入れるスリットの長さを調整する糸は約２ｍｍのピッチで取り付け最初の糸を切ればスリットが２ｍｍ長くなり２本きれば４ｍｍ長くなる構造で、スリットの長さは一度調整すれば後は再調整の必要はなく、長さの調整に失敗しても糸で簡単に縫い合わせて長さが決められる構造。
【図３】サポーター単体の下着の図面でサポーターパンツ一体の下着からパンツ部分を取り除いてあってサポーターの股間からの後部分は布幅を狭くして股間でサポーターが挟める構造にしてある。
【考案を実施するための形態】
【００１１】  本考案のサポーターパンツの装着は市販の下着と同じようにして装着し、スリットに陰茎を入れるときはサポーターの内側からスリットを広げて入れると簡単に入れることができ、小用の時も市販の下着と同じようにして用が足せる。
【手続補正４】
【補正対象書類名】図面
【補正対象項目名】全図
【補正方法】変更
【補正の内容】
【図１】
0003174954.tif 000006
【図２】
0003174954.tif 000007
【図３】
0003174954.tif 000008
【手続補正書】
【提出日】平成24年1月17日(2012.1.17)
【手続補正１】
【補正対象書類名】実用新案登録請求の範囲
【補正対象項目名】全文
【補正方法】変更
【補正の内容】
【実用新案登録請求の範囲】
【請求項１】
陰部の皮膚病の予防と改善のため、陰嚢と内股及び陰茎と陰嚢更に股間の皮膚の接触を防ぐ目的で、特殊なサポーターを製作し陰嚢と内股及び股間の接触はこのサポーターで防止し、陰嚢と陰茎の接触はサポーターに独自のスリットを開け、スリットから陰茎をサポーターの外側に出して防止させるが、このスリットは個人の陰茎の大小に合わせて長さが調整でき、陰茎を適正な力で保持するようにしてあり、更に陰茎の露出を防ぐためサポーターに、小用時にも使用できる陰茎ポケットを取り付けた新しいサポーター下着。
【請求項２】
請求項１に記載したサポーター下着に陰部の蒸れを防ぐため、裾を開放した独自の構造をもつパンツを取り付けたサポーターとパンツ一体の下着。
【手続補正２】
【補正対象書類名】明細書
【補正対象項目名】全文
【補正方法】変更
【補正の内容】
【考案の詳細な説明】
【技術分野】
【０００１】  陰部の皮膚病と蒸れを防ぐために独自の構造を持つ男性下着に関する考案。
【背景技術】
【０００２】  陰嚢は皮膚が薄く皮下脂肪が少ない。その上多数の汗腺を持っているので常に内股や陰茎と接触している陰嚢は皮膚病にかかりやすく、また陰部の風通しが悪いと陰部が蒸れて皮膚病を助長し、その上、インキンの皮膚病は股間にも発生するので、このような皮膚病を防ぐ下着の開発が望まれている。
【考案の概要】
【考案が解決しようとする課題】
【０００３】  陰部の皮膚病を防ぐには陰部の皮膚間の接触を防止することが必要で、陰嚢と内股の接触は立体型の布を使い陰嚢を包む構造のサポーターで、陰茎と陰嚢の接触は下着に穴をあけ陰茎をサポーターの外側に出すことで共に防止でき、また股間の接触はサポーターの股下から背面部を帯状にして、それを股間で挟めば防止できるが、この三つの課題を同時に解決した構造の下着は見当たらない。また下着に穴をあけ陰茎を外側に出して陰嚢との接触を防ぐ方法はすでに考案されているが、穴の場合陰茎の大小に対応できていないので姿勢によっては陰茎が抜ける恐れがあり、陰茎の大きさに合わせて調整でき適正な力で陰茎を保持して陰茎の抜けを防止し完全に隔離する必要がある。
【問題を解決するための手段】
【０００４】  図−１はサポーター下着の図で、サポーターと陰嚢の接する部分は立体型にして陰嚢を包み、サポーターの陰茎の当たる部分には長さを調整して陰茎の大小に適応できる図−２のような独自のスリットを設けこのスリットを開いて陰茎を外側に出し、股間の接する部分はサポーターの股下の帯状の布を股間で挟むことで、それぞれの皮膚間の接触を防止して三つの課題を一つの下着で解決できる構造にし、更に陰茎ポケットを図−３のようにサポーターの前部に作り陰茎をこの中に常時収容して陰茎がサポーターから露出するのを防ぐ。
【０００５】  陰茎ポケットは市販の下着の前あき部の構造を利用して作ってあり、図−３の図面で黒く塗りつぶした台形部分が陰茎ポケットで、このａ，ｂ，ｃ，ｄ部分は陰茎の出し入れのため布が二重になっていて、ポケットの表の布は開口部Ａを除き裏の布は開口部Ｂのあるｂ，ｃの辺を除いて、台形の周辺をサポーターと一緒に縫い付けてあり、この台形の布とサポーターとの空間が陰茎を入れるポケットで、図−１のサポーター下着と同じ構造になっていて、スリットから出した陰茎の露出を防ぎ、小用を足すときは開口部Ａから手を入れ更に裏側の布の開口部Ｂから指を奥に差し込んで陰茎を取り出す仕組み。
【０００６】  図−２はスリット詳細図で、スリットは伸縮性を強くするため周辺の生地は少し厚めに織り、その構造は図のように長さを調整するため、糸をスリットの長さ方向で一定のピッチで数箇所止めてあり、陰茎が大きすぎてスリットに入らない場合は糸を内側から順次切り取ってスリットを長くして、陰茎の大きさに合わせて調整し陰茎が適正な力で保持できるようにして陰茎が完全に隔離できる構造。
【０００７】  図−３はサポーターパンツ一体の下着の図で、図−１のサポーター下着にパンツを取り付けたもので、図のように陰部の風通しを良くするためパンツの裾を開放した独自の構造になっている。
【考案の効果】
【０００８】  試作品を使用した結果、初期の目的通りの効果があり皮膚病が改善された。陰茎は色んな体操をして色んな体の動かし方をしてもスリットで完全に保持され抜けることは無く、サポーターパンツ一体の下着も陰部の皮膚間の接触防止と合わせて風通しを良くする裾開放パンツの効果もあり夏場でも陰部と股間の皮膚病が改善され薬を使う必要が全くなくなり、その上、陰茎を適正な力で保持するため、勃起不全にも効果がある。
【図面の簡単な説明】
【００９】
【図１】本考案に係るサポーター下着の図で、陰茎をサポーターから外に出すためのスリットの位置及び陰茎ポケットの構造と位置、更にサポーターの股下から背面部は帯状にして股間で挟める構造を図示している。
【図２】本考案に係るスリットの詳細図でスリットはサポーターの陰茎が当たる位置に開けてあり、陰茎を入れるスリットの長さを調整する糸は約２ｍｍのピッチで取り付け最初の糸を切ればスリットが２ｍｍ長くなり２本きれば４ｍｍ長くなる構造で、スリットの長さは一度調整すれば後は再調整の必要はなく、長さの調整に失敗しても糸で簡単に縫い合わせて長さが決められる構造。
【図３】サポーターパンツ一体の下着の図で、サポーター下着にパンツを取り付けてあり、陰茎ポケット及び、陰部の風通しを良くするためパンツの裾を開放して、めくれ防止のため２本の布で前後をつなぐ構造を図示している。
【考案を実施するための形態】
【００１０】本考案のサポーター下着及びサポーターパンツ一体の下着の装着は市販の下着と同じようにして装着し、スリットに陰茎を入れるときはサポーターのスリットを広げて入れ、小用の時も市販の下着と同じようにして用が足せる。
【手続補正３】
【補正対象書類名】図面
【補正対象項目名】全図
【補正方法】変更
【補正の内容】
【図１】
0003174954.tif 000009
【図２】
0003174954.tif 000010
【図３】
0003174954.tif 000011